(57)【要約】【課題】従来の１０フィートＵＩにタッチパネル付リモコンを利用して操作性を向上しても、例えば所望のコンテンツを選択する前にコンテンツリストを次のものに切替えるなどの操作が必要となる。つまりリモコンなどの物理的なデバイス側で操作性を向上させても、ＧＵＩ側が従来のコンテンツリストのままでは結局ユーザ操作の手間が残ってしまっている、という課題がある。【解決手段】以上の課題解決のため、本発明は、大量のコンテンツ群をリング状の画像カード束としてテレビ装置に表示し、かつリモコンタッチパネルにもリング状カード束を簡略表示する。そしてリモコンタッチパネル上の簡略リング状カード束への回転操作に応じてテレビ上のリング状のカード画像を回転させるＧＵＩを備えることで、ユーザはカード画像を回転させながら所望のコンテンツを選択可能なテレビシステムを提供する。【選択図】図２
2010147705.tif 000002
【特許請求の範囲】
【請求項１】
所定の順序づけがされたコンテンツ識別情報を保持するコンテンツ識別情報保持部と、
保持されているコンテンツの内容を表象する表象画像を複数保存する表象画像保存部と、
一のリモコン操作に応じて表象画像の少なくとも一部が前記所定の順序で表示された表象画像を束ねたリング状カード束がめくられる動作の映像を生成するめくり動作映像生成部と、
めくり動作がされていない状態で、他のリモコン操作に応じてコンテンツ選択が可能なように静止状態のリング状カード束の映像を生成するリング状カード束映像生成部と、
生成された映像を表示する表示部と、
を有するテレビ装置と、
前記一のリモコン操作に応じて前記リング状カード束を簡略表示した簡略リング状カード束がめくられる動作の映像を生成するリモコン側めくり動作映像生成部と、
前記他のリモコン操作に応じて静止状態の簡略リング状カード束の映像を生成するリモコン側簡略リング状カード束映像生成部と、
を有するリモコン装置と、
からなるテレビシステム。
【請求項２】
テレビ装置は、映像生成部の動作をリモコン装置の映像生成部の動作と同期するために通信するテレビ側同期通信部を有し、
リモコン装置は、リモコン側の映像生成部の動作をテレビ側の映像生成部の動作と同期するために通信するリモコン側同期通信部を有する
請求項１に記載のテレビシステム。
【請求項３】
リモコン装置のリモコン側めくり動作映像生成部または／及び、簡略リング状カード束映像生成部は、リモコン操作に応じて簡略リング状カード束の表示視線方向を変化させる視線変化手段を有する
請求項１または２に記載のテレビシステム。
【請求項４】
コンテンツ画像を表示するためのリモコンディスプレイと、
リモコンディスプレイにコンテンツ画像を出力するための第一コンテンツ画像出力部と、
リモコンディスプレイに表示されているコンテンツ画像をテレビ側で視聴するための命令を受け付ける命令受付部と、
前記命令に応じてコンテンツ画像出力部を制御してリモコンディスプレイに表示されている画像をフェードアウト制御するフェードアウト制御部と、
テレビと通信する通信部と、
を有するリモコン装置と、
コンテンツ画像を表示するためのテレビディスプレイと、
テレビディスプレイにコンテンツ画像を出力する第二コンテンツ画像出力部と、
リモコン装置からの前記命令を取得する命令取得部と、
取得した命令に応じて前記第二コンテンツ画像出力部を制御してリモコンディスプレイに表示されている画像と同一の画像をフェードイン制御するフェードイン制御部と、
を有するテレビ装置と、
からなるテレビシステム。
【請求項５】
所定の順序づけがされたコンテンツ識別情報を保持するコンテンツ識別情報保持部と、保持されているコンテンツの内容を表象する表象画像を複数保存する表象画像保存部と、を有するテレビ装置と、リモコン装置と、からなるテレビシステムの制御方法であって、
一のリモコン操作に応じて表象画像の少なくとも一部が前記所定の順序で表示された表象画像を束ねたリング状カード束がめくられる動作の映像を生成するめくり動作映像生成ステップと、
めくり動作がされていない状態で、他のリモコン操作に応じてコンテンツ選択が可能なように静止状態のリング状カード束の映像を生成するリング状カード束映像生成ステップと、
をテレビ装置の計算機に実行させ、
前記一のリモコン操作に応じて前記リング状カード束を簡略表示した簡略リング状カード束がめくられる動作の映像を生成するリモコン側めくり動作映像生成ステップと、
前記他のリモコン操作に応じて静止状態の簡略リング状カード束の映像を生成するリモコン側簡略リング状カード束映像生成ステップと、
をリモコン装置の計算機に実行させる
テレビシステムの制御方法。
【請求項６】
テレビ装置では、映像生成ステップでの動作をリモコン装置の映像生成ステップでの動作と同期するために通信するテレビ側同期通信ステップをさらに計算機に実行させ、
リモコン装置では、リモコン側の映像生成ステップでの動作をテレビ側の映像生成ステップでの動作と同期するために通信するリモコン側同期通信ステップをさらに計算機に実行させる
請求項５に記載のテレビシステムの制御方法。
【請求項７】
リモコン側めくり動作映像生成ステップまたは／及び、簡略リング状カード束映像生成ステップは、リモコン操作に応じて簡略リング状カード束の表示視線方向を変化させる視線変化ステップを含む請求項５または６に記載のテレビシステムの制御方法。
【請求項８】
コンテンツ画像を表示するためのリモコンディスプレイを有するリモコン装置と、コンテンツ画像を表示するためのテレビディスプレイを有するテレビ装置と、からなるテレビシステムの制御装置であって、
リモコンディスプレイにコンテンツ画像を出力するための第一コンテンツ画像出力ステップと、
リモコンディスプレイに表示されているコンテンツ画像をテレビ側で視聴するための命令を受け付ける命令受付ステップと、
前記命令に応じてリモコンディスプレイに表示されている画像をフェードアウト制御するフェードアウト制御ステップと、
テレビと通信する通信ステップと、
をリモコン装置の計算機に実行させ、
リモコン装置からの前記命令を取得する命令取得ステップと、
取得した命令に応じてリモコンディスプレイに表示されている画像と同一の画像をテレビディスプレイにフェードイン表示させるようコンテンツ画像を出力制御するフェードイン制御ステップと、
をテレビ装置の計算機に実行させる
テレビシステムの制御方法。
【発明の詳細な説明】
【技術分野】
【０００１】
本発明は、リモコン装置と、そのリモコンで操作されるテレビ装置とからなるテレビシステムにおいて、リモコン操作性などを向上させるための技術に関する。
【背景技術】
【０００２】
現在、テレビ装置で閲覧可能なコンテンツの数は増大する一方である。例えば、地上波放送に加えて、ＣＳ放送やＢＳ放送も提供され、視聴可能なチャンネル数が爆発的に増えている。また、ムーアの法則に準ずる計算機の各種法則に則った録画機器の記録容量の増大によって、一台の録画機器に録画可能な番組の量も増大している。またリビングにあるテレビ装置を中心として家庭内のＡＶ（オーディオ・ビジュアル）機器を統合的に管理する構想が進められ、それによって、例えばデジタルカメラの大量の撮影データをテレビ装置で閲覧したり管理したりすることも可能になっている。さらにテレビ装置がインターネット接続機能を標準的に実装するようになり、世界中のインターネットコンテンツにアクセスし閲覧することも可能になっている。
【０００３】
ところでテレビ装置は一般的にリビングなどに設置されるものであり、そのＵＩ（ユーザ・インターフェース）としては、ある程度離れた距離（例えば１０フィート＝約３ｍ）からリモコン装置によって操作可能な、いわゆる「１０フィートＵＩ」が採用されている。しかしリモコンは配置可能な物理ボタン数に制限があり、また矢印ボタンによるカーソル移動操作なども困難であるので、１０フィートＵＩは上記のような大量のコンテンツの中から所望のコンテンツを選択する操作には適していない。そこで現在、１０フィートＵＩの操作性を向上させるための様々な技術が開発、提供されている。
【０００４】
具体的な一例として、タッチパネルを備え、物理ボタンの替わりに（または物理ボタンと併用して）パネルへのタッチ／なぞり操作などによって操作可能なリモコン装置が提供されている。これにより、例えばカーソル移動を矢印ボタンの複数回の押下では無くタッチパネル上のなぞり操作で行うことができ、容易にカーソルをコンテンツリスト中の所望のコンテンツに合わせることができる。また、コンテンツリストを表示するテレビ画面の座標と、タッチパネルの座標とを対応させることで、テレビ画面中の所望コンテンツの表示位置に対応するタッチパネル上座標をタッチしてリスト中の所望コンテンツを選択することもできる。
【特許文献１】特開平０９−３２２０１３号公報
【発明の開示】
【発明が解決しようとする課題】
【０００５】
しかし、上記従来のタッチパネル付リモコンを利用したテレビ操作システムには以下のような課題がある。すなわち、前述のようにテレビで視聴可能なコンテンツは爆発的に増大しており、たとえタイトルなど文字列のみのコンテンツリストであってもそれを一画面内に収めることは難しい。さらにコンテンツは、その量が多くなればなるほど文字情報のみで内容を判断、区別することが難しく、そのため通常はサムネイル画像を並べたコンテンツリストが表示されることになる。その場合、コンテンツリストのページ数はさらに増えることになる。すると、所望のコンテンツを選択する前に、複数のコンテンツリストを次のものに切替える操作が必要となる。このように、従来のようにリモコンなどの物理的なデバイス側で操作性を向上させても、ＧＵＩ側が従来のコンテンツリストのままでは結局ユーザ操作の手間が残ってしまっている、という課題がある。
【課題を解決するための手段】
【０００６】
以上の課題を解決するために、本発明は、大量のコンテンツ群をリング状の画像カード束としてテレビ装置に表示し、かつリモコンタッチパネルにもリング状カード束を簡略表示する。そしてリモコンタッチパネル上の簡略リング状カード束への回転操作に応じてテレビ上のリング状のカード画像を回転させるＧＵＩを備えることで、ユーザはカード画像を回転させながら所望のコンテンツをシームレスな操作で選択することができるテレビシステムを提供する。
【０００７】
具体的には、所定の順序づけがされたコンテンツ識別情報を保持するコンテンツ識別情報保持部と、保持されているコンテンツの内容を表象する表象画像を複数保存する表象画像保存部と、一のリモコン操作に応じて表象画像の少なくとも一部が前記所定の順序で表示された表象画像を束ねたリング状カード束がめくられる動作の映像を生成するめくり動作映像生成部と、めくり動作がされていない状態で、他のリモコン操作に応じてコンテンツ選択が可能なように静止状態のリング状カード束の映像を生成するリング状カード束映像生成部と、生成された映像を表示する表示部と、を有するテレビ装置と、前記一のリモコン操作に応じて前記リング状カード束を簡略表示した簡略リング状カード束がめくられる動作の映像を生成するリモコン側めくり動作映像生成部と、前記他のリモコン操作に応じて静止状態の簡略リング状カード束の映像を生成するリモコン側簡略リング状カード束映像生成部と、を有するリモコン装置と、からなるテレビシステムを提供する。
【０００８】
また、上記構成に加えてテレビ装置が、映像生成部の動作をリモコン装置の映像生成部の動作と同期するために通信するテレビ側同期通信部を有し、リモコン装置が、リモコン側の映像生成部の動作をテレビ側の映像生成部の動作と同期するために通信するリモコン側同期通信部を有するテレビシステムも提供する。また、さらにリモコン側めくり動作映像生成部または／及び、簡略リング状カード束映像生成部が、リモコン操作に応じて簡略リング状カード束の表示視線方向を変化させる視線変化手段を有するテレビシステムも提供する。
【０００９】
また、リモコンタッチパネル上でコンテンツ画像を選択した際には、リモコンタッチパネル上のコンテンツ画像をフェードアウトさせ、さらにそれと連動してテレビ側では選択コンテンツをフェードイン表示し再生することで、リモコンからテレビにコンテンツそのものが送られたかのような視覚効果を発揮するユーザインターフェースを備えるテレビシステムも提供する。具体的には、コンテンツ画像を表示するためのリモコンディスプレイと、リモコンディスプレイにコンテンツ画像を出力するための第一コンテンツ画像出力部と、リモコンディスプレイに表示されているコンテンツ画像をテレビ側で視聴するための命令を受け付ける命令受付部と、前記命令に応じてコンテンツ画像出力部を制御してリモコンディスプレイに表示されている画像をフェードアウト制御するフェードアウト制御部と、テレビと通信する通信部と、を有するリモコン装置と、コンテンツ画像を表示するためのテレビディスプレイと、テレビディスプレイにコンテンツ画像を出力する第二コンテンツ画像出力部と、リモコン装置からの前記命令を取得する命令取得部と、取得した命令に応じて前記第二コンテンツ画像出力部を制御してリモコンディスプレイに表示されている画像と同一の画像をフェードイン制御するフェードイン制御部と、を有するテレビ装置と、からなるテレビシステムを提供する。
【００１０】
また、上記のようなテレビシステムの制御方法も合わせて提供する。
【発明の効果】
【００１１】
以上のような構成をとる本発明によって、ユーザは複数のコンテンツリストを次のものに切替えるなどの操作をせずに、リモコン上のタッチパネルをなぞる／タッチなどすることで膨大なコンテンツの中から所望のコンテンツをシームレスに選択することができる。また、リモコンでの選択操作によって、リモコンからテレビにコンテンツそのものが送られたかのような視覚効果を発揮するユーザインターフェースによる操作を行うこともできる。
【発明を実施するための最良の形態】
【００１２】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１について説明する。また、実施例２は、主に請求項２について説明する。また、実施例３は、主に請求項３について説明する。また、実施例４は、主に請求項４について説明する。
【００１３】
≪実施例１≫
<概要>
図１は、本実施例のテレビシステムにおけるコンテンツ選択の一例を説明するための図である。この図にあるように、本実施例のテレビシステムではコンテンツ選択モードにおいて、複数のカードを束ね、リング状に並べたコンテンツ選択用のシンボルαをテレビ装置のディスプレイ上に表示する。そして、このカードのそれぞれが、例えばＨＤＤ（ハードディスク・ドライブ）レコーダに録画されている大量のコンテンツを示している。また、リング状に並べたカードの手前側（ディスプレイ表示側）にある例えば３枚に関しては、カード表面にコンテンツの１シーンを示す画像が表示され、ユーザはその内容を把握することができる。
【００１４】
また、リモコン装置側にも例えばタッチスクリーンなどの表示装置を備え、そこに同様にカードを束ねリング状に並べたコンテンツ選択用のシンボルβが表示されている。そして、ユーザがタッチスクリーン上のこのリング状カード束βに触れて矢印方向になぞる操作を行う。すると、そのなぞり操作によってテレビディスプレイ上のリング状カード束αも回転し、カードが順次めくられるアニメーションが表示される。そしてＨＤＤに録画されている大量のコンテンツの画像が次々とディスプレイに提示される、という具合である。
【００１５】
ユーザはこのようにしてリング状カード束を回転表示させてコンテンツの内容を確認しながら所望のコンテンツを探し、再生させることができる。なお、上記例ではリング状カード束をＨＤＤに録画されたコンテンツを示すシンボルとして説明したが、例えば地上波／ＢＳ／ＣＳなどの各チューナにて受信されるそれぞれのチャンネルの番組を各カードで示すシンボルとして構成する実施例も挙げられる。あるいはリング状カード束は外部接続されたカメラ機器の撮影画像を示すシンボルであっても良いし、インターネットコンテンツを示すシンボルであっても良い。また、それら種類の違うコンテンツをまとめて一のリング状カード束で表現しても良い。
【００１６】
<機能的構成>
図２は、本実施例のテレビシステムにおける機能ブロックの一例を表す図である。この図にあるように、本実施例のテレビシステムは、「テレビ装置」（０２００）と、「リモコン装置」（０２１０）と、からなる。「テレビ装置」（０２００）は、テレビ番組の受信機能や録画機能を内部的に、または外部接続によって備え、テレビ番組などをコンテンツとして表示することができる装置である。また、前述のようにその他ネットワーク上のリソースやカメラで撮影された写真データなどの表示機能を備え、これらをコンテンツとして表示するよう構成しても良い。また、「リモコン装置」は上記テレビ装置を操作するための「１０フィートＵＩ」用の入力デバイスであって、各種操作用のボタンやその他操作キー、タッチパネルなどを有する。また専用のリモコン装置のほかに、携帯電話などにリモコンプログラムを組み込むなどして実現された入力デバイスであっても良い。そして、テレビシステムを構成するこれらのテレビ装置やリモコン装置が、さらに以下のような構成を備えることで、前述のようなリング状カード束を利用したＵＩを実現することができる。
【００１７】
なお、以下に記載する本テレビ装置やリモコン装置の機能ブロックは、ハードウェア、ソフトウェア、又はハードウェア及びソフトウェアの両方として実現され得る。具体的には、コンピュータを利用するものであれば、ＣＰＵ（中央演算装置）や主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザーインターフェース用アプリケーションなどが挙げられる。
【００１８】
そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。また、この発明はテレビシステムとして実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１９】
まず「テレビ装置」（０２００）は、図２に示すように「コンテンツ識別情報保持部」（０２０１）と、「表象画像保存部」（０２０２）と、「めくり動作映像生成部」（０２０３）と、「リング状カード束映像生成部」（０２０４）と、「表示部」（０２０５）と、を有する。
【００２０】
「コンテンツ識別情報保持部」（０２０１）は、所定の順序づけがされたコンテンツ識別情報を保持する機能を有し、例えば不揮発性メモリやＨＤＤ（ハードディスクドライブ）などの二次記録装置によって実現することができる。また、後述するように揮発性の一次メモリなどで実現されても良い。「コンテンツ」とは、テレビシステムにて再生されるものをいい、例えば受信チューナにて受信する地上波／ＢＳ／ＣＳ、あるいはケーブルなどを経由して配信されるテレビ放送番組などが挙げられる。あるいはＨＤＤレコーダなどに記録された録画番組や、デジタルカメラで撮影された撮影画像や、インターネット上にある各種リソースなども挙げられる。そして「コンテンツ識別情報」とは、そのようなコンテンツを識別するための情報をいい、例えば数字・文字・記号列などで示されるもののほか、コンテンツ名などが挙げられる。また、コンテンツがテレビ放送番組であればチャンネルや放送時間などでも該当コンテンツを識別することができる。そして、そのようなコンテンツ識別情報に対して所定の順序づけなされ、ＨＤＤなどに保持されている、という具合である。
【００２１】
図３は、コンテンツ識別情報保持部の一例を表す概念図である。また、この図３（ａ）は、コンテンツがテレビ放送である場合のコンテンツ識別情報保持部の一例である。この図にあるように、例えば、コンテンツＩＤ：ＮＳ００１の「ニュース１０」は、地上デジタル放送の１チャンネルで現在放送されている番組であり、順序を１として保持されている。また、コンテンツＩＤ：ＮＥ００１の「今日の趣味」は、地上デジタル放送の３チャンネルで現在放送されている番組であり、順序を２として保持されている、という具合である。また、図３（ｂ）は、コンテンツがＨＤＤレコーダなどに記録されている録画番組である場合のコンテンツ識別情報保持部の一例である。この図にあるように、例えば、２００８年３月９日に録画されたコンテンツＩＤ：ＲＣ０２１の「ＷＢＣ決勝」は、順序を１として保持されている。また、２００８年３月１０日に録画されたコンテンツＩＤ：ＲＣ０２２の映画「ピラミッドの謎」は、順序を２として保持されている、という具合である。そして本発明のテレビシステムでは、このような順序づけを、後述するコンテンツ画像カードをリング状に束ねる際の並び順の決定に利用する、という具合である。
【００２２】
なお、ここでのコンテンツ識別情報の順序づけは様々な観点からなされるものであって良い。例えばコンテンツがテレビ放送番組であれば、チャンネル順にコンテンツを確認できると習慣上良いという観点から、上記図３（ａ）に示すようなチャンネルの数字順に順序づけを行う方法が挙げられる。あるいはユーザが好きなジャンルをまずは確認できた方がコンテンツ選択の効率が良いという観点から、ユーザが設定するジャンルごとの優先順位で順序づけをする方法も挙げられる。また、記録コンテンツであれば、古い日時に記録されたものをまずは確認できた方がユーザビリティ上良いとの観点から、上記図３（ｂ）に示すように記録日時の古い順に順序づけを行う方法も挙げられる。また逆に直近に記録されたものをまずは確認できた方がユーザビリティ上良いとの観点から、記録日時の若い順に順序づけを行う方法も挙げられる。あるいは未視聴の記録コンテンツを先に確認できた方が良いという観点から、未視聴コンテンツを優先的に上位に並べる順序づけを行う方法も挙げられる。またユーザが意図しないコンテンツを先に確認することでサプライズ的な操作環境を提供するという観点から、所定タイミングのつどランダムに順位づけを行う方法も挙げられる。また、ユーザビリティの観点から、テレビ放送であれば地上波／ＢＳ／ＣＳといった具合に放送形態など所定のカテゴリーごとに別々に順序づけを行うよう構成すると良い。また、もちろん上記観点を複数組み合わせて順序づけを行っても良いし、上記のような順序づけをするためのルール設定をユーザが任意に変更できるよう構成しても良い。
【００２３】
また本テレビシステムのテレビ装置には、順序づけを行うためのルールのみが保持されていても良い。そのルールは、上記の様々な観点に基づき、例えば「チャンネル順に順序づけする」といったルールが挙げられる。そして後述するリング状カード束の各種映像を生成するつど、動的に、例えば現在放送中の番組名などのコンテンツ識別情報を取得することで上記のようなコンテンツ識別情報保持部を生成し、主メモリなどに一時保持するような構成であっても良い。
【００２４】
「表象画像保存部」（０２０２）は、表象画像を複数保存する機能を有し、例えば不揮発性メモリやＨＤＤ（ハードディスクドライブ）などの画像メモリ（記録装置）によって実現することができる。「表象画像」とは、保持されているコンテンツの内容を表象する画像をいい、例えば動画コンテンツの１シーン（フレーム）を切り出した画像などが挙げられる。また１フレームの静止画像ではなく、所定数フレームの動画像を表象画像としても良い。なお、ＨＤＤなどに録画記録されているコンテンツであれば、事前に１シーンを切り出して表象画像として記録装置に保存しておくと良い。またチューナなどでリアルタイムに取得される放送番組データなどの場合における、同時間帯での複数の放送番組データの表象画像（１シーン）の切り出しは、例えば以下のような方法で実行すると良い。すなわち、時分割で各チャンネルの放送番組データを順次画像メモリに蓄積し、その蓄積した放送データから１シーンを切り出す、という具合である。
【００２５】
そして本発明のテレビシステムでは、このような表象画像を利用して、コンテンツの内容を直感的に把握できるような形態で後述するリング状カード束をユーザに提示することを特徴とする。
【００２６】
「めくり動作映像生成部」（０２０３）は、一のリモコン操作に応じてリング状カード束がめくられる動作の映像を生成する機能を有し、例えばＣＰＵや主メモリ、めくり動作映像生成プログラムなどで実現できる。「リング状カード束」とは、表象画像の少なくとも一部が前記所定の順序で表示された表象画像を束ねた形で表示される操作用のシンボル画像をいい、例えば図１のαで示すようなシンボル画像が挙げられる。この図にあるようにリング状カード束は、例えばコンテンツを示すカードを床面から垂直に立ててリング状に並べて、それを斜め上方から俯瞰した視点で表示されるシンボルなどが挙げられる。そして、このカード束の手前側に位置する所定枚数のカードに、前述の表象画像が表示されている、という具合である（図では手前側３枚のみであるが、もちろん全部のカードに表象画像を表示しても良い）。また、カード束はリング状になっているので、順序づけはループするよう例えば１番に順序づけされたカードの左（または右）側に配置されるカードには最後尾に順序づけされたコンテンツが該当するよう構成すると良い。なおリング状カード束の形状は、もちろん図１などに示す形状には限定されず、例えば各カードが二次元平面上で完全に重ならないようにリング状に配置された形状などであっても良い。
【００２７】
そしてめくり動作映像生成部では、具体的に、例えば以下のようにしてリング状カード束のめくり動作映像を生成する。まずリモコン装置にて入力された一のリモコン操作を示す操作信号をテレビ装置にて受付ける。なお「一のリモコン操作」については特別限定せず、様々な操作形態が一のリモコン操作として設定されて良い。ただし、めくり動作映像の生成契機となる操作であるため、ユーザビリティの観点からはタッチパネルやタッチホイール、ジョグダイヤル、その他操作キーなどを用いたカード束をめくるような動作を示す操作であることが望ましい。
【００２８】
そして、例えば「タッチパネル上を時計回りに回転させるようになぞる」などの一のリモコン操作を受付けると、その操作に応じて、最も手前に表示されている「１」と順序づけされた「ＷＢＣ決勝」を示すカードを、図４（ａ）に示すように向かって左側奥に移動させるアニメーションを生成する。また同時に初期状態ではその「ＷＢＣ決勝」のカードの右後ろに配置されていた「２」と順序づけられている「ピラミッドの謎」をリング円周に沿って左手前に移動させる。つまり、最も手前および最奥にあるカードを結ぶ中心線を基準として、順序づけにより基準線より左側にあるカードはリング円周に沿って奥側に移動するアニメーション（反時計周りの場合は逆に手前側に移動するアニメーション）を生成する。また基準線より右側にあるカードはリング円周に沿って手前側に移動するアニメーション（反時計周りの場合は逆に奥側に移動するアニメーション）を生成する、という具合である。
【００２９】
また、めくり動作による各カードの移動量は受付けたユーザ操作量に応じた量とすることで、さらに高いユーザビリティを提供するよう構成すると良い。また、このカード束の枚数を選択可能なコンテンツの総量と一致させる／対応した枚数とすることで、このリング状カード束のシンボル画像を見て、ユーザが直感的にコンテンツの総量を把握できるように構成しても良い。またその場合には、コンテンツ総量（＝カード束のカード枚数）に応じて、めくり操作の操作量が同じでも動作映像のカード束の回転アニメーション量を変えるように構成すると良い。そして、このようにして、ユーザは一のリモコン操作のみによって大量のコンテンツを示すリング状カード束をシームレスに回転させてめくっていくことができる。そして、例えば手前３枚のカードに表示されている表象画像を見ながら所望のコンテンツを探すことができる。
【００３０】
「リング状カード束映像生成部」（０２０４）は、めくり動作がされていない状態で、他のリモコン操作に応じてコンテンツ選択が可能なように静止状態のリング状カード束の映像を生成する機能を有し、例えばＣＰＵや主メモリ、リング状カード束映像生成プログラムなどで実現できる。具体的には、例えば図４（ｂ）に示すような静止状態のリング状カード束の映像を生成する。そして、この状態のリング状カード束がディスプレイに表示されている際には、例えばリモコン装置の決定ボタンを押下する操作やタッチパネルに表示された後述の簡略リング状カード束の該当カードをタッチする操作などによって、再生コンテンツの選択を受付ける、という具合である。
【００３１】
具体的に、リモコン装置の決定ボタン押下の操作信号を受付けると、例えば現在リング状カード束の最も手前の位置に表示されているコンテンツが選択されたとして、そのコンテンツ識別情報を取得する。あるいは、リモコン装置のタッチパネルのタッチ座標情報を受付けると、当該タッチ座標にて示される位置に表示されているコンテンツが選択されたとして、そのコンテンツ識別情報を取得する、という具合である。
【００３２】
「表示部」（０２０５）は、生成された映像を表示する機能を有し、例えばＧＰＵやビデオメモリ、デコーダなどを含む表示回路やディスプレイなどによって実現できる。そして、このよう表示部に表示され、シームレスに変化するめくり動作映像と静止状態のリング状カード束映像とを利用して、ユーザは所望のコンテンツを探し、選択することができる。
【００３３】
次に、上記テレビ装置とともに本実施例のテレビシステムを構成するリモコン装置の機能ブロックについて、再度図２を参照しながら説明する。図２にあるように、「リモコン装置」（０２１０）は、「リモコン側めくり動作映像生成部」（０２１１）と、「リモコン側簡略リング状カード束映像生成部」（０２１２）と、を有する。
【００３４】
「リモコン側めくり動作映像生成部」（０２１１）は、前記一のリモコン操作に応じて前記リング状カード束を簡略表示した簡略リング状カード束がめくられる動作の映像を生成する機能を有し、例えばＣＰＵや主メモリ、リモコン側めくり動作映像生成プログラムなどで実現できる。「簡略表示」とは、テレビ装置に表示されるリング状カード束よりも少ない情報量で表示することをいい、例えば図５に示すように、いずれのカードにも表象画像を表示しないなどの表示形態が挙げられる。これはリモコン装置の映像表示能力が、通常のテレビ装置と比較して格段に低く、また表象画像を取得するための別途構成が必要となるためである。また、通常ユーザーはコンテンツ内容の確認をテレビ画面を見ながら行い、手元のリモコン装置を見ながら行うことは無いため、リモコン側に表象画像を表示しなくてもユーザビリティが低下する可能性は低い。
【００３５】
「リモコン側簡略リング状カード束映像生成部」（０２１２）は、前記他のリモコン操作に応じて静止状態の簡略リング状カード束の映像を生成する機能を有し、例えばＣＰＵや主メモリ、リモコン側簡略リング状カード束映像生成プログラムなどで実現できる。そしてこの静止状態の簡略リング状カード束を表示しているときに、例えば決定ボタンの押下を受付けるとそのボタン操作信号がテレビ装置に送信される。それによってリング状カード束の所定位置（図１のαであれば、最も手前など）にあるコンテンツの選択がなされたとして、テレビ装置は当該コンテンツの再生などを実行する。あるいは、この静止状態の簡略リング状カード束がタッチパネルに表示されているのであれば、受付けたタッチ操作に応じたタッチ座標がテレビ装置に送信される。すると当該タッチ座標で示される位置に表示されているカードのコンテンツの選択がなされたとして、テレビ装置は当該コンテンツの再生などを実行する、という具合である。
【００３６】
以上のように本実施例のテレビシステムによって、リモコン装置上の簡略リング状カード束のシンボルをガイドとして、そのシンボルに対する操作によって、リング状カード束をシームレスに回転操作してコンテンツカードを順次めくっていくことができる。そして、そのめくり操作によって例えば手前側に次々と表示されるコンテンツの表象画像を見ながらユーザはその内容を確認し、所望のコンテンツを選択することができる。また、テレビ装置とリモコン装置の双方にリング状カード束を表示することで、両者が一体であるかのような操作感を生じさせる効果も期待できる。
【００３７】
<ハードウェア構成>
以下、図６と図７を用いて本実施例のテレビシステムのコンテンツ選択操作処理における各ハードウェア構成部の働きについて説明する。まず図６は、本実施例のテレビ装置における上記機能的な各構成要件をハードウェアとして実現した際の構成の一例を表す概略図である。
【００３８】
この図にあるように、テレビ装置は、めくり動作映像生成部、及びリング状カード束映像生成部であり、またその他の各種演算処理を実行する「ＣＰＵ」（０６０１）と、「主メモリ」（０６０２）と、を備えている。またコンテンツ識別情報保持部、及び表象画像保存部である「フラッシュメモリ」（０６０３）や、表示部である「表示回路」（０６０４）や「ディスプレイ」（０６０５）も備えている。また、「リモコン装置」（０６１０）からの操作信号を受け付ける「操作信号受信回路」（０６０６）や、番組やその他コンテンツデータを記録保持している「ＨＤＤ」（０６０７）、番組コンテンツを受信する「チューナ」（０６０８）、外部のコンテンツ再生機器などと接続するための「外部機器接続端子」（０６０９）、また図示していない「インターネット接続回路」なども備えている。そしてそれらが「システムバス」などのデータ通信経路によって相互に接続され、情報の送受信や処理を行う。
【００３９】
また、「主メモリ」にはプログラムが読み出され、「ＣＰＵ」は読み出された当該プログラムを参照し、プログラムで示される手順に従い各種演算処理を実行する。また、この「主メモリ」や「フラッシュメモリ」、「ＨＤＤ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００４０】
ここで、「リモコン装置」からコンテンツ選択モードを実行するための操作信号を「操作信号受信回路」にて受付ける。すると当該操作信号の受信に応じて、テレビ装置はコンテンツ選択のため、リング状カード束の静止状態およびめくり動作の映像を以下のように生成する。すなわち、「ＣＰＵ」はリング状カード束映像生成プログラムを解釈し、それに従い、「フラッシュメモリ」から図３に示すような順序テーブルを読出し、「主メモリ」のアドレス１に格納する。なお、前述のように順序データではなく「チャンネル順に順序づける」などのルールのみ読出し、電子番組表などを参照して図３（ａ）に示すような順序テーブルを動的に生成し、「主メモリ」のアドレス１に格納しても良い。
【００４１】
つづいて、「フラッシュメモリ」に保存されているコンテンツの表象画像１、表象画像２、・・・を「主メモリ」のアドレス２、・・・に格納する。なお、この表象画像は、例えば「ＨＤＤ」に録画されている番組コンテンツのものであれば、予めユーザの指定するフレームや３０００枚目のフレームなど所定のフレームを表象画像として切り出し、「フラッシュメモリ」にコンテンツ識別情報と関連付けて保存すると良い。あるいは、チューナにて受信する番組コンテンツのものであれば、一または複数のチューナを時分割し、順次各チャンネルの番組データを受信する。そして順次受信した各番組データから所定のフレームを表象画像として切り出し、「フラッシュメモリ」にコンテンツ識別情報と関連付けて保存すると良い。
【００４２】
次に、リング状カード束を示すシンボル画像を読み出す。このシンボル画像には、各カードに１，２，３、・・・と言った具合に順序に対応する識別番号が付されており、「ＣＰＵ」は、「主メモリ」のアドレス１に格納されている順序テーブルを参照し、リング状カード束の各カードに表示すべき表象画像を特定する。そして特定したカードに表象画像を重ね合わせるなどして、順序テーブルで示される所定の順序で表象画像が並べられたリング状カード束を生成し、「主メモリ」のアドレス３に格納する。なお、例えばリング状カード束において表象画像が表示されるのが手前３枚である場合などには、全てのカードに対する画像の重ね合わせ処理などを行わず、手前３枚のカードに対してのみ当該処理を行うと良い（またその場合には、次のめくり動作映像を生成する際に、順次手前に表示される３枚のカードに対して表象画像の重ね合わせ処理などを行うと良い）。そして、このようにして生成された静止状態のリング状カード束を「表示回路」に転送し、ＶＲＡＭ（ビデオメモリ）を介して「ディスプレイ」に表示する、という具合である。
【００４３】
そしてユーザーは、ディスプレイに表示されたこのリング状カード束のシンボル画像を見て、例えば手前に表示されている表象画像が所望のコンテンツのものでなければ、「リモコン装置」にて簡略リング状カード束をガイドとしてめくり動作の操作を入力する。なお、リモコン装置における簡略リング状カード束の表示や各種操作入力に関するハードウェア構成上の説明は、図７を用いて後述する。
【００４４】
テレビ装置では、リモコン装置に入力された例えばタッチパネルへのなぞり操作などのめくり操作を示す操作信号をその操作量とともに「操作信号受信回路」にて受信すると、当該操作命令と操作量とを「主メモリ」のアドレス４，５に格納する。そしてなぞり操作の「主メモリ」への格納をトリガーとして、「ＣＰＵ」はめくり動作映像生成プログラムを解釈し、以下の処理を実行する。すなわち、「主メモリ」のアドレス５に格納されている操作量に応じて、リング状カード束のめくり回転量を演算する。そして、そのめくり回転量でカード束が回転するアニメーション画像群を生成し、「主メモリ」のアドレス６、・・・に格納する。そして、生成した画像群を順次「表示回路」に転送し、「ディスプレイ」上でリング状カード束をアニメーション表示させる、という具合である。このようにして、ユーザは、シームレスに回転しめくられていくリング状カード束の表象画像を見ながら、所望のコンテンツを探索することができる。
【００４５】
次に、図７を用いてリモコン装置側のハードウェア構成部の働きについて説明する。この図にあるように、リモコン装置は、リモコン側めくり動作映像生成部及びリモコン側簡略リング状カード束映像生成部であり、また各種演算処理を行うための「制御コントローラ」（０７１１）と、「プログラムメモリ」（０７１２）と、を有している。また、リモコンコードなどを保存している「ＥＥＰＲＯＭ」（０７１３）や、「表示回路」（０７１４）と「タッチパネル」（０７１５）や、「操作信号送信回路」（０７１６）などを備えている。
【００４６】
ここで、前述のようにテレビ装置に対してコンテンツ選択モードを実行するための操作入力を「タッチパネル」や図示しない操作キーなどから受付けると、リモコン装置は「操作信号送信回路」から当該操作信号を送信する。また、それとともに「ＣＰＵ」はリモコン側簡略リング状カード束映像生成プログラムを解釈し、「ＥＥＰＲＯＭ」から簡略リング状カード束を示すシンボル画像データを読み出す。そして当該シンボル画像のデータを「表示回路」に転送し、静止状態の簡略リング状カード束を「タッチパネル」に表示する。
【００４７】
そして、ユーザは前述のようにテレビ装置のディスプレイ上に表示された静止状態のリング状カード束のシンボル画像を見て、所望のコンテンツがカード束の手前側にあるか確認する。そして所望のコンテンツが手前側に無ければ、リモコン装置の「タッチパネル」に表示された簡略リング状カード束映像をガイドとして、「タッチパネル」をなぞる操作を入力する。すると、そのなぞる操作の回転方向や回転量を含むなぞり操作信号がリモコンコードを参照し生成され、「操作信号送信回路」からテレビ装置に対して送信される。そしてテレビ装置では、そのなぞり操作信号に応じためくり動作映像として、前述のようにディスプレイ上のリング状カード束を回転アニメーション表示する。
【００４８】
また、その一方でリモコン装置では、ユーザからのなぞり操作の入力を受けて「ＣＰＵ」がリモコン側めくり操作映像生成プログラムを解釈し、操作量に応じて簡略リング状カード束のめくり回転量を演算する。そして、そのめくり回転量でカード束が回転するアニメーション画像群を生成し順次「表示回路」に転送する。このようにしてリモコン装置の「タッチパネル」上でも簡略リング状カード束が回転アニメーション表示する、という具合である。
【００４９】
そして、このようなリング状カード束のめくり動作映像の表示によって、所望のコンテンツの表象画像が手前側に表示されたときに、ユーザはなぞり操作の入力をやめる。するとテレビ装置のディスプレイ上には再び静止状態のリング状カード束が表示される。そして、この状態で、リモコン装置は「タッチパネル」に表示されている簡略リング状カード束の該当コンテンツのカード表示位置をタッチするなどのユーザ操作入力を受付けると、当該操作信号をテレビ装置に送信する。そして、このようにして選択されたコンテンツがテレビ装置上にて再生などされる、という具合である。
【００５０】
<処理の流れ>
図８は、本実施例のテレビシステムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、図示しないリモコン装置でのコンテンツ選択モードの操作信号などの入力に応じて、テレビ装置は静止状態のリング状カード束の映像を生成し（ステップＳ０８０１）、ディスプレイに表示する（ステップＳ０８０２）。また、リモコン装置でも、静止状態の簡略リング状カード束の映像を生成し（ステップＳ０８１１）、タッチパネルなどに表示する（ステップＳ０８１２）。
【００５１】
そして、リモコン装置にてめくり動作のための、例えばタッチパネルに対するなぞり操作などを受け付ける（ステップＳ０８１３）と、そのなぞり操作信号をテレビ装置に送信する（ステップＳ０８１４）。テレビ装置ではそのなぞり操作信号を受信すると、それに応じてリング状カード束のめくり動作映像を生成し（ステップＳ０８０３）、ディスプレイに表示する（ステップＳ０８０４）。また、リモコン装置でも受け付けたなぞり操作入力に応じて、簡略リング状カード束のめくり動作映像を生成し（ステップＳ０８１５）、タッチパネルなどに表示する（ステップＳ０８１６）。そして、テレビ装置のディスプレイに表示されたリング状カード束のめくり動作映像を見て、ユーザは所望のコンテンツを探索することができる、という具合である。
【００５２】
<効果の簡単な説明>
以上のように本実施例のテレビシステムによって、リモコン装置上の簡略リング状カード束のシンボルをガイドとし、そのシンボルに対する操作によって、リング状カード束をシームレスに回転操作してコンテンツカードを順次めくっていくことができる。そして、そのめくり操作によって例えば手前側に次々と表示されるコンテンツの表象画像を見ながらユーザはその内容を確認し、所望のコンテンツを選択することができる。また、テレビ装置とリモコン装置の双方にリング状カード束を表示することで、両者が一体であるかのような操作感を生じさせる効果も期待できる。
【００５３】
≪実施例２≫
<概要>
本実施例は上記実施例を基本として、テレビ装置に表示されるリング状カード束の動作映像と、リモコン装置に表示される簡略リング状カード束の動作映像と、を同期動作させる機能を備えることを特徴としたテレビシステムである。このようにしてユーザは、リモコン側の簡略リング状カード束に対する操作を、実際にコンテンツを選択するために参照するテレビ側のリング状カード束の操作と一体的に感じることができる。したがって、カード束のめくり過ぎ、あるいはめくり不足など操作感を損ねるような操作ミスの発生を抑えた操作性の高いＵＩを提供することができる。
【００５４】
<機能的構成>
図９は、本実施例のテレビシステムにおける機能ブロックの一例を表す図である。この図にあるように、本実施例のテレビシステムは、「テレビ装置」（０９００）と、「リモコン装置」（０９１０）と、からなる。そして「テレビ装置」（０９００）は、実施例１を基本として、「コンテンツ識別情報保持部」（０９０１）と、「表象画像保存部」（０９０２）と、「めくり動作映像生成部」（０９０３）と、「リング状カード束映像生成部」（０９０４）と、「表示部」（０９０５）と、を有する。また、「リモコン装置」（０９１０）も、実施例１を基本として、「リモコン側めくり動作映像生成部」（０９１１）と、「リモコン側簡略リング状カード束映像生成部」（０９１２）と、を有する。なお、これらの構成要件については、上記実施例にて記載済みであるのでその説明は省略する。そして、本実施例の特徴点は、テレビ装置がさらに「テレビ側同期通信部」（０９０６）を有する点と、リモコン装置がさらに「リモコン側同期通信部」（０９１３）を有する点である。
【００５５】
「テレビ側同期通信部」（０９０６）は、映像生成部の動作をリモコン装置の映像生成部の動作と同期するために通信する機能を有し、例えばＣＰＵや主メモリ、赤外線やＲＦ（高周波電波）などの短距離無線通信回路、テレビ側同期通信プログラムなどによって実現することができる。
【００５６】
「リモコン側同期通信部」（０９１３）は、リモコン側の映像生成部の動作をテレビ側の映像生成部の動作と同期するために通信する機能を有し、例えばＣＰＵや主メモリ、赤外線やＲＦなどの短距離無線通信回路、リモコン側同期通信プログラムなどによって実現することができる。
【００５７】
映像同期の具体的にな方法としては、例えばリモコン装置で演算された（簡略）リング状カード束のめくり動作の回転量をリモコン側同期通信部からテレビ装置に送信する。そしてテレビ装置ではテレビ側同期通信部でその回転量を受信し、それと同じ回転量でテレビ側のリング状カード束のめくり動作の映像を生成する方法が挙げられる。また、回転量そのものではなく、回転量を演算するための演算式をリモコン側とテレビ側で同一の式として格納し、回転量演算のためのパラメータ値（例えば操作量や操作速度など）をリモコン装置から送信しテレビ装置で受信するよう構成する方法も挙げられる。
【００５８】
あるいは、リモコン側のめくり動作映像の開始および停止のタイミングで、リモコン装置から信号を送信する。そしてテレビ装置では送信される信号を受信すると、その信号の受信に合わせてテレビ側のめくり動作映像の開始および停止を行う方法も挙げられる。
【００５９】
以上のようにして、本実施例のテレビシステムではテレビ装置に表示されるリング状カード束の動作映像と、リモコン装置に表示される簡略リング状カード束の動作映像と、を同期動作させることができる。したがってユーザに良好な操作感を提供することができる。
【００６０】
<処理の流れ>
図１０は、本実施例のテレビシステムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず図示しないリモコン装置でのコンテンツ選択モードの操作信号などの入力に応じて、テレビ装置は静止状態のリング状カード束の映像を生成し（ステップＳ１００１）、ディスプレイに表示する（ステップＳ１００２）。また、リモコン装置でも、静止状態の簡略リング状カード束の映像を生成し（ステップＳ１０１１）、タッチパネルなどに表示する（ステップＳ１０１２）。
【００６１】
その後、リモコン装置にてめくり動作のための、例えばタッチパネルに対するなぞり操作などを受け付ける（ステップＳ１０１３）と、なぞり量などに応じてめくり動作量を算出する（ステップＳ１０１４）。そして、算出しためくり動作量を含むなぞり操作信号をテレビ装置に送信する（ステップＳ１０１５）。テレビ装置ではそのなぞり操作信号を受信すると、受信しためくり動作量でリング状カード束のめくり動作映像を生成し（ステップＳ１００３）、ディスプレイに表示する（ステップＳ１００４）。また、リモコン装置でも算出しためくり動作量で簡略リング状カード束のめくり動作映像を生成し（ステップＳ１０１６）、タッチパネルなどに表示する（ステップＳ１０１７）。
【００６２】
なお、上記処理の流れは、なぞり量（回転量）をリモコンーテレビ間で共有し、そのめくり動作映像を同期させる際の処理の流れの一例である。前述のようにめくり動作映像の開始及び停止のタイミングで信号を送信し、そのめくり動作映像を同期させる場合には、めくり動作映像のアニメーション表示を行う前と後のステップにて、リモコンーテレビ間で信号を送受信し、その送受信に応じてめくり動作映像のアニメーション表示の開始、停止を行う処理の流れとすると良い。
【００６３】
<効果の簡単な説明>
以上のように本実施例のテレビシステムによって、テレビ装置に表示されるリング状カード束の動作映像と、リモコン装置に表示される簡略リング状カード束の動作映像と、を同期動作させることができる。このようにしてユーザは、リモコン側の簡略リング状カード束に対する操作を、実際にコンテンツを選択するために参照するテレビ側のリング状カード束の操作と一体的に感じることができる。したがって、カード束のめくり過ぎ、あるいはめくり不足など操作感を損ねるような操作ミスの発生を抑えた操作性の高いＵＩを提供することができる。
【００６４】
≪実施例３≫
<概要>
本実施例のテレビシステムは上記実施例を基本として、例えば操作モードの遷移などに応じて、リモコン側に表示される簡略リング状カード束の表示視線方向を変化させる機能をさらに備えることを特徴とするテレビシステムである。
【００６５】
図１１は、本実施例のテレビシステムのリモコン装置での簡略リング状カード束の視線変化表示の一例を表す図である。この図１１（ａ）にあるように、例えばテレビ装置で番組視聴中には、リモコンタッチパネルに表示されている簡略リング状カード束は、真上から見下ろした平面図で表現されている。ここで、ユーザがチャンネルザッピングを行うためこの平面的なリング状カード束に対してなぞる操作を行う。すると、テレビ装置ではコンテンツ表示モードからチャンネルザッピング（放送番組コンテンツ選択操作）モードに遷移し、そのためのリング状カード束が表示される。そしてリモコン装置では、それに合わせて、図１１（ｂ）に示すようにリモコンタッチパネルの簡略リング状カード束の表示視線が斜め上に変化し、俯瞰図での表現に遷移する、という具合である。
【００６６】
このように、リモコン操作に応じて簡略リング状カード束の表示視線を適宜変化させることで、その表示視線の違いによってユーザは、例えばチャンネルザッピングの操作をしているなどを容易に把握することができる。
【００６７】
<機能的構成>
図１２は、本実施例のテレビシステムにおける機能ブロックの一例を表す図である。この図にあるように、本実施例のテレビシステムは、「テレビ装置」（１２００）と、「リモコン装置」（１２１０）と、からなる。なお、「テレビ装置」（１２００）は、実施例１や２と同様の構成であるのでその説明は省略する。また、「リモコン装置」（１２１０）は、実施例１を基本として、「リモコン側めくり動作映像生成部」（１２１１）と、「リモコン側簡略リング状カード束映像生成部」（１２１２）と、を有する。また、実施例２を基本として図示しない「リモコン側同期通信部」を有していても良い。なお、これらの構成要件については、上記実施例にて記載済みであるのでその説明は省略する。そして本実施例の特徴点は、リモコン装置のリモコン側めくり動作映像生成部、または／及びリモコン側簡略リング状カード束映像生成部が「視線変化手段」（１２１３）を有する点である。
【００６８】
「視線変化手段」（１２１３）は、リモコン操作に応じて簡略リング状カード束の表示視線方向を変化させる機能を有し、例えばＣＰＵや主メモリ、視線変化プログラムなどによって実現できる。具体的には、例えばリモコン操作内容を示すＩＤと、その操作に応じて実行される視線変化の方向、量、角度などを定める視線変化ルールとを関連付けたテーブルを予めＥＥＰＲＯＭなどに保持する。そしてリモコン操作を受付けた際には、制御コントローラ（演算装置）がその視線変化ルールを参照することで視線変化のパラメータ（方向や量、角度）を特定し、当該パラメータに合わせて簡略リング状カード束の視線を変化させた静止状態または／及びめくり動作の画像を生成し表示する、という具合である。
【００６９】
なお、この「リモコン操作に応じた視線方向の変化」のための上記テーブルの関連付けは、特別限定しない。ただし、ユーザビリティの観点から、テレビ装置のリング状カード束と、リモコン装置の簡略リング状カード束とが一体感を持って操作できるようその表示視線方向が同じになるよう構成すると良い。すなわち、例えばテレビにてリング状カード束が非表示の状態から表示される状態に遷移するリモコン操作に対して、テレビに表示されたリング状カード束と同じ視線方向となるようリモコン装置の簡略リング状カード束の視線方向を変化させるような関連付けルールなどが挙げられる。
【００７０】
このようにして、ユーザはリモコン装置とテレビ装置とで一体的にリング状カード束を操作する感覚を得ることができる。またそれとともに、リング状カード束の表示視線の違いによって、ユーザは例えばコンテンツ視聴中であるのかチャンネルザッピング中であるのか、という具合に現在自分がどの操作をしているか（どの操作をすべきか）などを容易に把握することもできる。
【００７１】
<処理の流れ>
図１３は、本実施例のテレビシステムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、基本的な処理の流れは上記実施例にて記載したものと同様であるので、その説明は省略する。この図にあるように、リモコン装置にて、例えばコンテンツ視聴中からコンテンツ選択モードへの遷移操作など、所定のリモコン操作を受付ける（ステップＳ１３１１）。すると、簡易リング状カード束の静止状態または／及びめくり動作の映像の表示視線方向を、例えばコンテンツ選択のためにテレビ上に表示されたリング状カード束の視線方向に合わせるなどして変化させる（ステップＳ１３１２）。
【００７２】
<効果の簡単な説明>
以上のように、本実施例のテレビシステムによって、ユーザはリモコン装置とテレビ装置とで一体的にリング状カード束を操作する感覚を得ることができる。またそれとともに、表示視線の違いによってユーザは現在自分がどの操作をしているか（どの操作をすべきか）などを容易に把握することもできる。
【００７３】
≪実施例４≫
<概要>
本実施例は、リモコン装置とテレビ装置とからなるテレビシステムであって、リモコン装置に設けられたディスプレイを利用して再生コンテンツを選択し、それによってテレビディスプレイ上にて選択コンテンツを再生する際に、フェードイン／フェードアウト表示によって特徴的な視覚効果を提供するテレビシステムである。
【００７４】
図１４は、本実施例のテレビシステムによるコンテンツ再生の一例を説明するための図である。この図１４（ａ）にあるように、本実施例のリモコン装置に設けられたタッチパネルディスプレイに、テレビ装置で再生可能なコンテンツ画像が表示されている。このコンテンツ画像は、例えばテレビ装置から送信された画像で、現在テレビで受信している各チャンネルの番組の画像などが挙げられる。そして、タッチパネル上のこのコンテンツ画像を、例えばユーザが指でタッチする操作を行う。すると図１４（ｂ）に示すように、リモコンディスプレイのコンテンツ画像はディスプレイの外へフェードアウトしていくようアニメーション表示される。そして、それに合わせてテレビ装置ではそのコンテンツ画像  がディスプレイ内にフェードインするようアニメーション表示される。そして、図１４（ｃ）に示すように、テレビ装置のディスプレイ内にコンテンツが完全に表示され、そのコンテンツの再生が実行される、という具合である。
【００７５】
このように本実施例のテレビシステムでは、リモコンからテレビにコンテンツそのものが送られてコンテンツの再生が実行されたかのような視覚効果を発揮するユーザインターフェースを提供することができる。
【００７６】
<機能的構成>
図１５は、本実施例のテレビシステムにおける機能ブロックの一例を表す図である。この図にあるように、本実施例のテレビシステムは、「リモコン装置」（１５１０）と、「テレビ装置」（１５００）と、からなる。そして「リモコン装置」（１５１０）は、「リモコンディスプレイ」（１５１１）と、「第一コンテンツ画像出力部」（１５１２）と、「命令受付部」（１５１３）と、「フェードアウト制御部」（１５１４）と、「通信部」（１５１５）と、を有する。
【００７７】
「リモコンディスプレイ」（１５１１）は、コンテンツ画像を表示するためにリモコン装置に設けられたディスプレイなどで実現される。「コンテンツ画像」とは、コンテンツの内容を表象する画像をいい、前述の表象画像と同様に、動画コンテンツであればその１〜数フレームを切り出して生成された画像／動画データなどが挙げられる。ただし表象画像と異なり、このコンテンツ画像は表示能力の低いリモコンのディスプレイに表示されるものであるため、例えば元のコンテンツから解像度を下げるリサイズ処理やフレームレートを間引く処理などを行った画像であることが好ましい。
【００７８】
また、このリモコンディスプレイは操作用パネルと別体にリモコン上に設けられても良いし、例えば映像表示機能と接触型操作機能を統合したタッチパネルとして構成されても良い。そしてここで表示されるコンテンツ画像が後述するようにディスプレイからフェードアウトするよう制御され、それとともにコンテンツがテレビディスプレイにフェードインして再生させるよう制御することで、コンテンツがリモコンからテレビに直接送られたかのような特徴的な視覚効果をユーザに提供することができる。
【００７９】
「第一コンテンツ画像出力部」（１５１２）は、リモコンディスプレイにコンテンツ画像を出力するための機能を有し、例えばＣＰＵや主メモリ、その他の画像表示用演算装置やデコーダ、ＶＲＡＭ、あるいは第一コンテンツ画像出力プログラムなどで実現することができる。なお、この第一コンテンツ画像出力部でのコンテンツ画像出力方法は、例えば複数のコンテンツ画像を所定の順番／ランダム順番で周期的に出力表示する方法が挙げられる。あるいはユーザの指定する条件にタグ情報などが合致するコンテンツをオススメコンテンツとして出力表示する構成としても良い。
【００８０】
また通常リモコン装置は、直接的にコンテンツを取得、保持する構成をとっていない。そのため、この第一コンテンツ画像出力部で出力されるコンテンツ画像は後述するテレビ装置から適宜送信されてきたものを利用する構成とすると良い。あるいはコンテンツがテレビ番組コンテンツであれば、リモコン装置にワンセグチューナなどの放送受信チューナを設け、その受信データからコンテンツ画像を取得する構成としても良い。
【００８１】
「命令受付部」（１５１３）は、リモコンディスプレイに表示されているコンテンツ画像をテレビ側で視聴するための命令を受け付ける機能を有し、例えば各種操作キーや操作ボタン、あるいはタッチパネルなどの入力デバイスおよび命令受付プログラムなどで実現できる。具体的には、ユーザはリモコンディスプレイに表示されるコンテンツ画像を見て、所望のコンテンツであれば「決定キー」などの押下によって当該命令入力を行い、命令受付部ではその入力された命令を受け付ける、という具合である。そして、この命令受付によって、本実施例のリモコン装置ではリモコンディスプレイに表示されたコンテンツ画像をフェードアウト表示するよう制御し、それとともにコンテンツ視聴命令をテレビ装置に対して送信することを特徴とする。
【００８２】
なお、例えばリモコンディスプレイがタッチパネルであれば、コンテンツ画像を表示するリモコンディスプレイと命令受付部とを一体のハードウェアで構成することができる。そしてそのように構成することで、タッチパネルディスプレイに表示されたコンテンツ画像をテレビに向けてはじくような動作入力によって、当該命令の受付とすると良い。このようにして本実施例のテレビシステムにおける前述の特徴的な視覚効果を発生させる契機となる命令入力を、その視覚効果に合致した入力動作とすることができる。
【００８３】
「フェードアウト制御部」（１５１４）は、前記命令に応じてコンテンツ画像出力部を制御してリモコンディスプレイに表示されている画像をフェードアウト制御する機能を有すし、例えばＣＰＵや主メモリ、その他の画像表示用演算装置やデコーダ、ＶＲＡＭ、フェードアウト制御プログラムなどで実現することができる。「フェードアウト制御」とは、コンテンツ画像が表示されている状態から、例えば色数を黒一色などの単一色に徐々に減らしていく制御などが挙げられる。このようなフェードアウト制御を行うことで、コンテンツ画像が段々と消えるような画面効果を生じさせることができる。そして後述するように、テレビ側では逆にコンテンツのフェードイン表示を行うことで、コンテンツがリモコンからテレビに直接送られたかのような特徴的な視覚効果をユーザに提供することができる。なお、リモコンディスプレイにおけるコンテンツ画像のフェードアウト表示の一例については、後述するテレビ側でのフェードイン表示と合わせて記載する。
【００８４】
「通信部」（１５１５）は、テレビと通信する機能を有し、ＣＰＵや主メモリ、高周波電波などを利用した通信回路、通信プログラムなどによって実現できる。そして、この通信部にて、例えば命令受付部にて受付けた命令をテレビ装置に対して出力する。なお命令出力においては、視聴されるコンテンツを特定可能に、例えばコンテンツＩＤや放送チャンネルなどとともに出力すると良い。またリモコンディスプレイに表示するコンテンツ画像をテレビ装置から送信してもらう構成をとる場合、この通信部にてコンテンツ画像を受信する、という具合である。またコンテンツ画像のリモコン側でのフェードアウト表示と、テレビ側でのフェードイン表示とを同期させるために、タイミング信号を通信する構成としても良い。
【００８５】
次に、上記リモコン装置とともに本実施例のテレビシステムを構成するテレビ装置の機能ブロックについて、再度図１５を参照しながら説明する。図１５にあるように、「テレビ装置」（１５００）は、「テレビディスプレイ」（１５０１）と、「第二コンテンツ画像出力部」（１５０２）と、「命令取得部」（１５０３）と、「フェードイン制御部」（１５０４）と、を有する。
【００８６】
「テレビディスプレイ」（１５０１）は、コンテンツ画像を表示する機能を有する。そしてこのテレビディスプレイでは、リモコン装置のフェードアウト表示に合わせて実行させる後述するフォードイン制御によって、コンテンツ画像をあたかもリモコンから送信されてきたかのように表示し、再生する、という具合である。なお、テレビディスプレイはリモコンディスプレイと異なり相応の表示能力を備えているため、表示されるコンテンツ画像の解像度やフレームレートなどを変更する処理を行う必要は無い。
【００８７】
「第二コンテンツ画像出力部」（１５０２）は、テレビディスプレイにコンテンツ画像を出力する機能を有し、例えばＣＰＵや主メモリ、その他の画像表示用演算装置やデコーダ、ＶＲＡＭ、あるいは第二コンテンツ画像出力プログラムなどで実現することができる。なおテレビディスプレイへのコンテンツ画像の出力は、本実施例の視覚効果を最大限発揮させるために、リモコン装置でのコンテンツ画像のフェードアウト表示前には実行しないことが望ましいが、もちろんそれに限定されない。例えばリモコン装置にコンテンツ画像を表示すると同時に、テレビ側では画面内をランダムに複数のコンテンツが飛び回るようなアニメーション表示などを行う。そして、リモコンにて命令を受付けコンテンツ画像のフェードアウト表示が実行されると、テレビ側ではその飛行アニメーション表示されているコンテンツの中から、選択された一のコンテンツ画像を後述するようにフェードイン表示するよう構成しても良い。
【００８８】
「命令取得部」（１５０３）は、リモコン装置からの前記命令を取得する機能を有し、例えばＣＰＵや主メモリ、高周波電波などを利用した通信回路、命令取得プログラムなどによって実現できる。また命令取得部では、リモコンで受付けたコンテンツ視聴のための命令とともに、例えばフォードインとフェードアウトの同期をとるためのタイミング信号などを取得するよう構成しても良い。
【００８９】
また、テレビ装置からリモコン装置にコンテンツ画像を送信する構成をとる場合、コンテンツＩＤを画像データに付して送信するよう構成すると良い。このようにして、リモコン装置から送信されてくる命令にコンテンツＩＤを含ませることができ、テレビ装置側で視聴対象となるコンテンツを特定することができる。また、リモコン装置のワンセグチューナなどでリモコン側にてコンテンツ画像を表示する構成の場合、受信する命令にはチャンネル情報を含むよう構成すると良い。するとテレビ装置側では、チャンネル番号と現在時刻などをキーとして、視聴コンテンツを特定することができる。
【００９０】
「フェードイン制御部」（１５０４）取得した命令に応じて前記第二コンテンツ画像出力部を制御してリモコンディスプレイに表示されている画像と同一の画像をフェードイン制御する機能を有し、例えばＣＰＵや主メモリ、その他の画像表示用演算装置やデコーダ、ＶＲＡＭ、フェードイン制御プログラムなどで実現することができる。「フェードイン制御」とは、フェードアウト制御とは逆に、コンテンツ画像が表示されていない状態から、画像表示用の色数を徐々に増やしていく制御などが挙げられる。このようなフェードイン制御を行うことで、コンテンツ画像が段々と表示されるような画面効果を生じさせることができる。なお、「同一のコンテンツ画像」とは、その表象するもとのコンテンツが同一であることをいい、例えば前述のように解像度やフレームレートなどが異なっていても良い。
【００９１】
図１６は、コンテンツ画像のリモコン装置におけるフェードアウト制御と、テレビ装置におけるフェードイン制御の一例を表す図である。この図１６（ａ）にあるように、例えばリモコン側でディスプレイの上下左右のいずれかの方向にコンテンツ画像を移動させるアニメーション表示によるフェードアウト制御を行う。そして、それに合わせてテレビ装置側では、ディスプレイの表示領域外からコンテンツ画像が徐々に表示領域内に移動するアニメーション表示となるよう色数を増やしていくフェードイン制御を行う、といった例が挙げられる。あるいは、図１６（ｂ）にあるように、リモコン側のコンテンツ画像を構成する８×８などの画素ブロックを、ランダムパターンで示される順番にしたがい黒などに変化させるフェードアウト制御を行う。そして、テレビ装置側でもランダムパターンの順番情報を共有することで、コンテンツ画像の画素ブロックの色を順番に変化させるフェードイン制御を行う、といった例も挙げられる。また、図１６（ｃ）にあるように、リモコン側のコンテンツ画像の色を所定方向から徐々に黒などに変化させることで、コンテンツ画像が徐々にカバーなどで覆われるようなフェードアウト制御を行う。そして、テレビ装置側では、所定方向逆側からコンテンツ画像の色数を増やし、覆いが徐々に除かれていくかのようなフェードイン制御を行う、といった例も挙げられる。
【００９２】
そしてコンテンツが放送番組などの動画コンテンツである場合、このようなフェードイン制御によってコンテンツ画像がテレビディスプレイに完全に表示されると、そこからシームレスにコンテンツの再生を実行すると良い。このようにして、リモコンからテレビにコンテンツそのものが送られてコンテンツの再生が実行されたかのような視覚効果を発揮するユーザインターフェースを提供することができる。
【００９３】
<ハードウェア構成>
以下、図１７と図１８を用いて本実施例のテレビシステムのコンテンツ画像の表示制御における各ハードウェア構成部の働きについて説明する。まず図１７は、本実施例のリモコン装置における上記機能的な各構成要件をハードウェアとして実現した際の構成の一例を表す概略図である。
【００９４】
この図にあるように、リモコン装置は、第一コンテンツ画像出力部及びフェードアウト制御部であり、またその他の各種演算処理を実行する「制御コントローラ」（１７１１）と、「プログラムメモリ」（１７１２）と、を備えている。またリモコンディスプレイ及び命令受付部である「表示回路」（１７１４）と「タッチパネル」（１７１５）や、通信部である「通信回路」（１７１７）なども備えている。なお、命令受付部はディスプレイと別体として図示しない「操作キー」などを備えていても良い。また、その他にリモコンコードや各種データテーブルなどを保存している「ＥＥＰＲＯＭ」（１７１３）や、コンテンツ画像を格納する「画像メモリ」（１７１６）なども備えている。
【００９５】
ここで、例えば「テレビ装置」（１７００）から送信されてきたコンテンツ画像（コンテンツＩＤを含む）を「通信回路」にて受信し、「画像メモリ」に格納する。すると「制御コントローラ」は第一コンテンツ画像出力プログラムを解釈し、それにしたがって「表示回路」を介して「タッチパネル」上にコンテンツ画像を出力表示する。そして、タッチパネル上に表示されたそのコンテンツ画像を視聴したいとユーザが考えて行った、コンテンツ画像へのタッチ操作入力などを「タッチパネル」にて受付ける。すると「制御コントローラ」はフェードアウト制御プログラムを解釈し、それにしたがって表示回路に対して色数減少などの制御命令を出力する。そして表示回路はＶＲＡＭ上の画像データの色を制御命令に従い徐々に黒色に変化させ、タッチパネルに表示されているコンテンツ画像がフェードアウトするよう制御する。
【００９６】
また、それとともに「制御コントローラ」は命令受付プログラムを解釈し、それにしたがって例えばリモコンコードを参照し、受付けた命令がコンテンツ視聴命令であることを特定する。そして、例えばコンテンツＩＤを含むコンテンツ視聴命令を生成し、「通信回路」からテレビ装置に送信する。
【００９７】
次に、図１８を用いてテレビ装置側のハードウェア構成部の働きについて説明する。この図にあるように、テレビ装置は、第二コンテンツ画像出力部及びフェードイン制御部であり、またその他の各種演算処理を実行する「ＣＰＵ」（１８０１）と、「主メモリ」（１８０２）と、を備えている。またテレビディスプレイである「表示回路」（１８０４）と「ディスプレイ」（１８０５）や、命令取得部である「通信回路」（１８０６）なども備えている。また、コンテンツ画像などを保存する「フラッシュメモリ」（１８０３）や、番組やその他コンテンツデータを記録保持している「ＨＤＤ」（１８０７）、番組コンテンツを受信する「チューナ」（１８０８）、外部のコンテンツ再生機器などと接続するための「外部機器接続端子」（１８０９）、また図示していない「インターネット接続回路」なども備えている。
【００９８】
そして、前述のように「リモコン装置」（１８１０）から送信されてきたコンテンツＩＤを含むコンテンツ視聴命令を「通信回路」にて受信し、「主メモリ」のアドレス１に格納する。すると、「ＣＰＵ」は第二コンテンツ画像出力プログラムを解釈し、それにしたがってリモコン装置へのコンテンツ画像送信時にコンテンツＩＤと関連付けて予め保存されているコンテンツ画像を検索する。そしてコンテンツ視聴命令に含まれるコンテンツＩＤと一致するコンテンツ画像を特定し、「主メモリ」のアドレス２に格納する。つづいて「ＣＰＵ」はフェードイン制御プログラムを解釈し、それにしたがって「主メモリ」に格納しているコンテンツ画像を、所定画素（または画素ブロック）単位で順番に表示回路のＶＲＡＭに転送する。それによってテレビの「ディスプレイ」上にコンテンツ画像をフェードイン表示する、という具合である。そして、コンテンツ画像が完全に「ディスプレイ」上に表示されると、コンテンツが動画コンテンツであればその画像のフレームからのコンテンツ再生を実行する。また放送番組コンテンツであれば、いわゆる「追っかけ再生」を利用し、現在放送中の番組を録画しながら、コンテンツ画像のフレームからのコンテンツ再生を実行すると良い。
【００９９】
<処理の流れ>
図１９は、本実施例のテレビシステムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まずテレビ装置からリモコン装置へコンテンツ画像（コンテンツＩＤを含む）を送信する（ステップＳ１９０１）。なおこのステップの替わりに、リモコン装置にて前述のようにワンセグチューナなどでコンテンツ画像を取得するステップを備えるよう構成しても良い。そして、リモコン装置ではコンテンツ画像を取得する（ステップＳ１９１１）と、そのコンテンツ画像をリモコンディスプレイに表示する（ステップＳ１９１２）。そして、そのコンテンツ画像を見たユーザがタッチパネルにタッチするなどすることで、リモコン装置にて視聴命令を受付ける（ステップＳ１９１３）と、受付けた視聴命令をコンテンツＩＤなどとともにテレビ装置に送信する（ステップＳ１９１４）。またそれとともにリモコン装置では、リモコンディスプレイ上のコンテンツ画像をフェードアウト表示するよう制御する（ステップＳ１９１５）。
【０１００】
一方、テレビ装置では、リモコン装置からの視聴命令に応じて、例えばコンテンツＩＤなどをキーとしてリモコンディスプレイ上のものと同一のコンテンツ画像を取得する（ステップＳ１９０２）。そして、取得したコンテンツ画像をテレビディスプレイ上にフェードイン表示するよう制御し（ステップＳ１９０３）、そしてコンテンツが動画コンテンツであれば、そのコンテンツ画像のフレームからの再生を実行する。
【０１０１】
<効果の簡単な説明>
以上のように本実施例のテレビシステムによって、リモコンからテレビにコンテンツそのものが送られてコンテンツの再生が実行されたかのような視覚効果を発揮するユーザインターフェースを提供することができる。
【図面の簡単な説明】
【０１０２】
【図１】実施例１のテレビシステムにおけるコンテンツ選択の一例を説明するための図
【図２】実施例１のテレビシステムにおける機能ブロックの一例を表す図
【図３】実施例１のテレビシステムのコンテンツ識別情報保持部の一例を表す概念図
【図４】実施例１のテレビシステムのテレビ装置にて生成されるめくり動作映像および静止状態のリング状カード束の一例を表す概念図
【図５】実施例１のテレビシステムのリモコン装置にて生成される簡略リング状カード束の一例を表す概念図
【図６】実施例１のテレビシステムのテレビ装置におけるハードウェア構成の一例を表す図
【図７】実施例１のテレビシステムのリモコン装置におけるハードウェア構成の一例を表す図
【図８】実施例１のテレビシステムにおける処理の流れの一例を表すフローチャート
【図９】実施例２のテレビシステムにおける機能ブロックの一例を表す図
【図１０】実施例２のテレビシステムにおける処理の流れの一例を表すフローチャート
【図１１】実施例３のテレビシステムのリモコン装置における簡略リング状カード束の視線変化表示の一例を表す図
【図１２】実施例３のテレビシステムのリモコン装置における機能ブロックの一例を表す図
【図１３】実施例３のテレビシステムのリモコン装置における処理の流れの一例を表すフローチャート
【図１４】実施例４のテレビシステムによるコンテンツ再生の一例を説明するための図
【図１５】実施例４のテレビシステムにおける機能ブロックの一例を表す図
【図１６】実施例４のテレビシステムにおける、コンテンツ画像のリモコン装置におけるフェードアウト制御と、テレビ装置におけるフェードイン制御の一例を表す図
【図１７】実施例４のテレビシステムのリモコン装置におけるハードウェア構成の一例を表す図
【図１８】実施例４のテレビシステムのテレビ装置におけるハードウェア構成の一例を表す図
【図１９】実施例４のテレビシステムにおける処理の流れの一例を表すフローチャート
【符号の説明】
【０１０３】
０２００  テレビ装置
０２０１  コンテンツ識別情報保持部
０２０２  表象画像保持部
０２０３  めくり動作映像生成部
０２０４  リング状カード束映像生成部
０２０５  表示部
０２１０  リモコン装置
０２１１  リモコン側めくり動作映像生成部
０２１２  リモコン側簡略リング状カード束映像生成部
【図１】
2010147705.tif 000003
【図２】
2010147705.tif 000004
【図３】
2010147705.tif 000005
【図４】
2010147705.tif 000006
【図５】
2010147705.tif 000007
【図６】
2010147705.tif 000008
【図７】
2010147705.tif 000009
【図８】
2010147705.tif 000010
【図９】
2010147705.tif 000011
【図１０】
2010147705.tif 000012
【図１１】
2010147705.tif 000013
【図１２】
2010147705.tif 000014
【図１３】
2010147705.tif 000015
【図１４】
2010147705.tif 000016
【図１５】
2010147705.tif 000017
【図１６】
2010147705.tif 000018
【図１７】
2010147705.tif 000019
【図１８】
2010147705.tif 000020
【図１９】
2010147705.tif 000021